(57)【要約】【課題】Ｗｉ−Ｆｉ通信（無線通信）を使用し、インターネット上から受信した時刻情報をアナログ針に同期させることができるアナログ時計を提供する。【解決手段】アナログ時計１は、Ｗｉ−Ｆｉルーター２とＷｉ−Ｆｉ無線通信を行いモデム４を介しインターネット上ＮＴＰサーバー５より時刻情報を取得する。取得した時刻情報は時計内部でアナログ時計用の駆動信号へ変換し、時分秒針を高速回転させる事で、時刻情報と同期し現在時刻のズレを補正する。【選択図】図２
2020076722.tif 000002
【特許請求の範囲】
【請求項１】
Ｗｉ−Ｆｉを通じて取得した時刻情報により時刻の補正するアナログ時計であって、前記アナログ時計には、指定のルーターと無線通信を行うＷｉ−Ｆｉ送受信部と、時分針及び秒針をモータによって各々駆動するギアボックスと、水晶振動子による駆動信号により前記モータを駆動する駆動信号発生部と、前記Ｗｉ−Ｆｉ送受信部からの時刻情報を前記駆動信号に変換する制御回路が内蔵され、前記Ｗｉ−Ｆｉに含まれる時刻情報を前記制御回路により前記アナログ時計の駆動信号に変換し、前記時分針及び秒針を運針させることを特徴とするＷｉ−Ｆｉアナログ時計。
【請求項２】
前記Ｗｉ−Ｆｉ送受信部は、パソコンによりＷｉ−Ｆｉ環境に接続設定され、前記ルーターと無線通信を行い、インターネットを通じて時刻情報を取得する請求項１に記載のＷｉ−Ｆｉアナログ時計。
【請求項３】
前記Ｗｉ−Ｆｉ送受信部がＷｉ−Ｆｉ環境に接続設定された複数台の前記アナログ時計は、前記パソコンにより一括で制御する請求項１に記載のＷｉ−Ｆｉアナログ時計。
【請求項４】
前記Ｗｉ−Ｆｉ送受信部は、所定時間毎に前記時刻情報を取得して、前記時分針及び秒針を誤差分運針させる請求項１に記載のＷｉ−Ｆｉアナログ時計。
【発明の詳細な説明】
【技術分野】
【０００１】本発明は、Ｗｉ−Ｆｉからインターネットを通じＮＴＰサーバーから得た正確な時刻を表示するアナログ時計（歯車構造にて構成された針表示式）の制御方法に関する。
【背景技術】
【０００２】従来、電波時計端末は送信局から発信されるＪＪＹと呼ばれる標準時刻の電波信号を受信し時刻修正が主流で、一般的に市販されているが、建物構造や地域により、受信が難しい環境があり品質クレームとなる場面もあり、高価な電波中継器等も市販されている。【０００３】Ｗｉ−Ｆｉを通じてインターネットからの時刻情報取得と時刻補正は、これまでにもインターネット端末には、一般的に使用されている技術であるが、パソコン、スマートフォン、タブレット端末との通信が主な使用端末であった。【０００４】Ｗｉ−Ｆｉは既にホテルやレストラン、商業施設、病院や市役所等の公共施設だけで無く一般家庭へも多く普及が進み、活用は容易である。【０００５】アナログ時計（掛け時計／起き時計）その物へ、Ｗｉ−Ｆｉモジュールを組み込み、受信した時刻情報を駆動信号へ変換し、針位置と同期させる事でＷｉ−Ｆｉルーターが時刻の基地局となり、地域や建物構造に影響を受けない従来の電波時計と一線を画すアナログ時計の発明となる。
【発明の概要】
【発明が解決しようとする課題】
【０００６】時刻情報は、年月日時分秒の情報だけを集約したＮＴＰサーバーから一般公開されて、様々なパソコン画面上の時刻表示同期等に利用されている。
インターネット環境下であれば、この正確な時刻情報は入手可能で、アナログ時計へＷｉ−Ｆｉ通信を行う為の装置を構成する事で同期し時刻補正する事が可能である。
しかしアナログ時計を指定のＷｉ−Ｆｉへ接続する場合、ＰＣやスマートフォンの様な入力用キーボードや液晶画面を必要となるが、時計自体へそれらを構成した場合、価格が上がり時計用途としては相応しくない。
又、Ｗｉ−Ｆｉ通信中は消費電流が高く、電池寿命に懸念がある。
ＡＣ電源とした場合、時計の設置場所が特定される上、ノイズの影響で通信感度が下がる事がある。
【課題を解決するための手段】
【０００７】アナログ時計と同期させる為に、時計本体へＷｉ−Ｆｉ通信可能なモジュールを組み込みインターネットとの通信を可能にし、且つ入手した時刻情報を針の駆動信号へ変換させる為の制御回路を構成する。アナログ時計は指定のＷｉ−Ｆｉへ接続設定の為ＵＳＢケーブルにてＰＣへ接続し、外部（ＰＣ）にて接続先を操作設定する。【０００８】定期自動通信のタイミングは１日１回とし、通信に失敗した場合でも繰り返し通信を行うことは無く次回、定期自動通信までクォーツ精度により駆動することで、ＤＣ電源で１年以上の電池寿命を確保する
【発明の効果】本発明によれば、Ｗｉ−Ｆｉを使用しインターネットからの時刻情報をアナログ時計へ同期させる事で、従来の電波時計デメリット（設置環境の違いによる影響）を減らし、安定した時刻補正を行うことが可能となった。
【図面の簡単な説明】
【０００９】
【図１】アナログ時計本体内部構成を示すブロック図である。
【図２】通信方法を示す説明図でさる。
【発明を実施する為の形態】
【００１０】以下、図面を参照し、本発明のＷｉ−Ｆｉアナログ時計を説明する。
図１は、アナログ時計本体内部の構成を表すブロック図である。
ギアボックスは、秒針モータ９、秒針輪列部１０、時分針モータ１１、時分針輪列部１２によって構成され、輪列部には時分秒針が接続され、使用者が時刻を確認することが出来る。
【００１１】アナログ時計１には、指定のルーターと無線通信を行うＷｉ−Ｆｉ送受信部６と時分針及び秒針をモータ９、１０によって各々駆動するギアボックスと水晶振動子による駆動信号によりモータ９、１０を駆動する駆動信号発生部８とＷｉ−Ｆｉ送受信部６からの時刻情報を駆動信号に変換する制御回路発生部８が内蔵されている。
【００１２】アナログ時計１へＷｉ−Ｆｉ環境の接続先（ＳＳＩＤ）指定の為、ＰＣ３へ専用アプリケーションソフトをインストール後、アナログ時計１とＰＣ３をＵＳＢケーブルで有線接続しＰＣ３にてＷｉ−Ｆｉ設定入力を行い制御回路７へ接続先を記憶する。
設定入力後ＵＳＢケーブルを外した瞬間から時計本体に内蔵されたＷｉ−Ｆｉ送受信部６から指定のＷｉ−Ｆｉ環境（Ｗｉ−Ｆｉルーター２）へ無線通信を行い、インターネットを通じ時刻情報をＮＴＰサーバーから取得する。
時刻情報取得は、Ｗｉ−Ｆｉルーター２からモデム４を経由してインターネット上のＮＴＰサーバー５から引き出し、モデム４からＷｉ−Ｆｉルーター２を経由し、Ｗｉ−Ｆｉ通信によりＷｉ−Ｆｉ送受信部６に送られる。
【００１３】Ｗｉ−Ｆｉ送受信部６は、アンテナと復調回路からなり時刻情報は、制御回路７で秒針モータ９と時分針モータ１１用の駆動信号へ変換され、秒針モータ９、時分針モータ１１のステップ数を演算し駆動信号発生部８で実際に駆動信号として秒針モータ９、時分針モータ１１を駆動する為のコイルへ送り、各モータを回転し、秒針輪列部１０、時分針輪列部１２を介して、時分秒針を高速回転し、現在時刻と同期（補正）する。
尚、時間情報取得後は符号７により、直ぐにＷｉ−Ｆｉ通信は切断される。
【００１４】現在時刻補正後は、水晶振動子の信号を起点に通常のクォーツ時計とし駆動し、１日１回特定の時刻になると、一定時間自動的に通信を行い、クォ−ツ精度でズレた差分、通信の都度モータの高速駆動により補正される。
【産業上の利用可能性】
【００１５】様々な設備の設置された企業／工場内等、ノイズが多く電波時計では受信し辛い環境下であっても、この発明により正確な時刻を把握する事が可能となる。又、市販の設備時計は、高価な基地局（送信機）や施工が必要であるが、Ｗｉ−Ｆｉアナログ時計はＷｉ−Ｆｉルーターを基地局とし、又ＤＣ電源で駆動させる為、大幅なコスト削減へ繋がる。
【符号の説明】
【００１６】１・・・アナログ時計、２・・・Ｗｉ−Ｆｉルーター、３・・・ＰＣ、４・・・モデム、５・・・ＮＴＰサーバー（インターネット）、６・・・Ｗｉ−Ｆｉ送受信部、７・・・制御回路、８・・・駆動信号発生部、９・・・秒針モータ、１０・・・秒針輪列部、１１・・・時分針モータ、１２・・・時分針輪列部
【図１】
2020076722.tif 000003
【図２】
2020076722.tif 000004